(57)【要約】【課題】無線通信端末の操作部に対応する表示を無線通信端末の多くの機種について行える表示システム、表示装置、表示方法、表示プログラムを提供する。【解決手段】無線通信端末１００は、自らの機種情報を表示装置２００へ送信する。表示装置２００では、機種情報と対応する操作部情報を操作部情報記憶部から抽出して、無線通信端末１００の操作部１０２を模した第１の表示２０１ａを表示する。また、表示装置２００は、第１の表示２０１ａに並べて静止画像や動画像を第２の表示２０１ｂとして表示する。【選択図】図１
2010232759.tif 000002
【特許請求の範囲】
【請求項１】
無線通信端末と表示装置との間で通信を行い前記表示装置が有する表示部に前記無線通信端末から得た情報を表示する表示システムであって、
前記無線通信端末は、
当該無線通信端末の操作に用いる操作部と、
当該無線通信端末の機種を特定する機種情報を記憶する機種情報記憶手段と、
前記表示装置との間で有線又は無線で接続されて通信する端末側通信手段と、
前記端末側通信手段を介して前記機種情報を前記表示装置へ送る機種情報送信手段と、
を備え、
前記表示装置は、
複数機種の前記無線通信端末の前記操作部に関する情報である操作部情報を前記機種情報と関連付けて記憶する操作部情報記憶手段と、
前記無線通信端末との間で有線又は無線で接続されて通信する表示装置側通信手段と、
前記表示装置側通信手段を介して前記無線通信端末から前記機種情報を受け取る機種情報受信手段と、
前記機種情報受信手段が受け取った前記機種情報に対応する前記操作部情報を前記操作部情報記憶手段から抽出する操作部情報抽出手段と、
前記表示装置側通信手段を介して接続された前記無線通信端末の前記操作部に対応した第１の表示を前記操作部情報抽出手段が抽出した前記操作部情報に基づいて前記表示部に行う表示制御手段と、
を備えること、
を特徴とする表示システム。
【請求項２】
請求項１に記載の表示システムにおいて、
前記操作部情報抽出手段は、前記機種情報受信手段が受け取った前記機種情報に対応する前記操作部情報が前記操作部情報記憶手段に記憶されていないときには、前記表示装置側通信手段を介して接続された前記無線通信端末に対して前記操作部情報を要求すること、
を特徴とする表示システム。
【請求項３】
請求項２に記載の表示システムにおいて、
前記操作部情報記憶手段は、前記表示装置側通信手段を介して接続された前記無線通信端末に対して前記操作部情報抽出手段が要求して取得した前記操作部情報を追加して記憶すること、
を特徴とする表示システム。
【請求項４】
請求項１から請求項３までのいずれか１項に記載の表示システムにおいて、
前記無線通信端末は、前記第１の表示とは異なる表示内容である第２の表示に用いるデータを前記端末側通信手段を介して前記表示装置へ送る第２の表示データ送信手段を備え、
前記表示制御手段は、前記表示装置側通信手段を介して取得した前記第２の表示に用いるデータを前記第１の表示とともに前記表示部に表示すること、
を特徴とする表示システム。
【請求項５】
請求項４に記載の表示システムにおいて、
前記表示装置は、前記表示部に関する情報である表示部情報を前記表示装置側通信手段を介して接続された前記無線通信端末へ送る表示部情報送信手段を備え、
前記無線通信端末の前記第２の表示データ送信手段は、前記端末側通信手段を介して取得した前記表示部情報に応じて、前記第２の表示に用いるデータの選択及び変更及び修正の少なくとも１つを行い、前記表示装置へ送ること、
を特徴とする表示システム。
【請求項６】
表示部と、
複数機種の無線通信端末の操作部に関する情報である操作部情報を機種情報と関連付けて記憶する操作部情報記憶手段と、
前記無線通信端末との間で有線又は無線で接続されて通信する表示装置側通信手段と、
前記表示装置側通信手段を介して前記無線通信端末から前記機種情報を受け取る機種情報受信手段と、
前記機種情報受信手段が受け取った前記機種情報に対応する前記操作部情報を前記操作部情報記憶手段から抽出する操作部情報抽出手段と、
前記表示装置側通信手段を介して接続された前記無線通信端末の前記操作部に対応した第１の表示を前記操作部情報抽出手段が抽出した前記操作部情報に基づいて前記表示部に行う表示制御手段と、
を備えること、
を特徴とする表示装置。
【請求項７】
請求項６に記載の表示装置において、
前記操作部情報抽出手段は、前記機種情報受信手段が受け取った前記機種情報に対応する前記操作部情報が前記操作部情報記憶手段に記憶されていないときには、前記表示装置側通信手段を介して接続された前記無線通信端末に対して前記操作部情報を要求すること、
を特徴とする表示装置。
【請求項８】
請求項７に記載の表示装置において、
前記操作部情報記憶手段は、前記表示装置側通信手段を介して接続された前記無線通信端末に対して前記操作部情報抽出手段が要求して取得した前記操作部情報を追加して記憶すること、
を特徴とする表示装置。
【請求項９】
請求項６から請求項８までのいずれか１項に記載の表示装置において、
前記表示制御手段は、前記第１の表示とは異なる表示内容である第２の表示に用いるデータを前記表示装置側通信手段を介して取得して前記第１の表示とともに前記表示部に表示すること、
を特徴とする表示装置。
【請求項１０】
無線通信端末と表示装置との間で通信を行い前記表示装置が有する表示部に前記無線通信端末から得た情報を表示する表示方法であって、
前記表示装置は、
複数機種の前記無線通信端末の操作部に関する情報である操作部情報を前記無線通信端末の機種情報と関連付けて記憶する操作部情報記憶手段と、
前記無線通信端末との間で有線又は無線で接続されて通信する表示装置側通信手段と、
を備え、
前記表示装置側通信手段を介して前記無線通信端末から前記機種情報を受け取る機種情報受信ステップと、
前記機種情報受信ステップで受け取った前記機種情報に対応する前記操作部情報を前記操作部情報記憶手段から抽出する操作部情報抽出ステップと、
前記表示装置側通信手段を介して接続された前記無線通信端末の前記操作部に対応した第１の表示を前記操作部情報抽出ステップで抽出した前記操作部情報に基づいて前記表示部に行う表示制御ステップと、
を実行すること、
を特徴とする表示方法。
【請求項１１】
表示部と、
複数機種の無線通信端末の操作部に関する情報である操作部情報を前記無線通信端末の機種情報と関連付けて記憶する操作部情報記憶手段と、
前記無線通信端末との間で有線又は無線で接続されて通信する表示装置側通信手段と、
を備えた表示装置において無線通信端末との間で通信を行い前記表示部に前記無線通信端末から得た情報を表示する表示プログラムであって、
コンピュータに、
前記表示装置側通信手段を介して前記無線通信端末から前記機種情報を受け取る機種情報受信ステップと、
前記機種情報受信ステップで受け取った前記機種情報に対応する前記操作部情報を前記操作部情報記憶手段から抽出する操作部情報抽出ステップと、
前記表示装置側通信手段を介して接続された前記無線通信端末の前記操作部に対応した第１の表示を前記操作部情報抽出ステップで抽出した前記操作部情報に基づいて前記表示部に行う表示制御ステップと、
を実行させること、
を特徴とする表示プログラム。
【発明の詳細な説明】
【技術分野】
【０００１】
本発明は、携帯電話端末等の無線通信端末からの情報を表示する表示システム、表示装置、表示方法、表示プログラムに関するものである。
【背景技術】
【０００２】
携帯電話端末に代表される無線通信端末は、多機能化が進み、本来の通信機能以外に、静止画や動画の撮影や再生機能を持つものが多くなっている。
一方で、これら無線通信端末は、携帯性も重要視されるので、表示画面の大きさが静止画や動画の鑑賞には不十分であり、無線通信端末内の静止画や動画をより大きな画面で鑑賞したいという要求があった。
【０００３】
このような要求に応える技術として、テレビ受像機へ携帯電話端末のコンテンツを送信して再生するものが知られている（例えば、特許文献１）。
【先行技術文献】
【特許文献】
【０００４】
【特許文献１】特開２００６−１９９４３号公報
【発明の概要】
【発明が解決しようとする課題】
【０００５】
しかし、特許文献１の技術では、再生される映像自体は大きくなるが、その操作は無線通信端末で行うことになる。上述したように無線通信端末は、携帯性を重要視することから小型である場合が多く、どの操作キーを操作すればよいか分かり難かったり、操作性が悪かったりする場合が多い。
【０００６】
そこで、大型の表示装置に無線通信端末の操作キーを表示して操作の案内を行うことが考えられる。また、大型の表示装置に操作キーを模した表示を行うとともにタッチパネルやポインティングデバイスを用いて表示装置で無線通信端末の操作を行うことも考えられる。
【０００７】
しかし、携帯電話端末等の無線通信端末は、製造販売される機種が非常に多く、機種毎に操作キーの形態や操作キーに割り当てられている機能が異なる。よって、無線通信端末の多くの機種に対応できる表示装置や表示システムとすることが困難であった。
【０００８】
本発明の課題は、無線通信端末の操作部に対応する表示を無線通信端末の多くの機種について行える表示システム、表示装置、表示方法、表示プログラムを提供することである。
【課題を解決するための手段】
【０００９】
本発明は、上記の課題を解決するために、以下の事項を提案している。なお、理解を容易にするために、本発明の実施形態に対応する符号を付して説明するが、これに限定されるものではない。
【００１０】
（１）本発明は、無線通信端末（１００）と表示装置（２００）との間で通信を行い前記表示装置が有する表示部（２０１）に前記無線通信端末から得た情報を表示する表示システムであって、前記無線通信端末は、当該無線通信端末の操作に用いる操作部（１０２）と、当該無線通信端末の機種を特定する機種情報を記憶する機種情報記憶手段（１０３）と、前記表示装置との間で有線又は無線で接続されて通信する端末側通信手段（１０４）と、前記端末側通信手段を介して前記機種情報を前記表示装置へ送る機種情報送信手段（１０５）とを備え、前記表示装置は、複数機種の前記無線通信端末の前記操作部に関する情報である操作部情報を前記機種情報と関連付けて記憶する操作部情報記憶手段（２０２）と、前記無線通信端末との間で有線又は無線で接続されて通信する表示装置側通信手段（２０３）と、前記表示装置側通信手段を介して前記無線通信端末から前記機種情報を受け取る機種情報受信手段（２０４）と、前記機種情報受信手段が受け取った前記機種情報に対応する前記操作部情報を前記操作部情報記憶手段から抽出する操作部情報抽出手段（２０５）と、前記表示装置側通信手段を介して接続された前記無線通信端末の前記操作部に対応した第１の表示（２０１ａ）を前記操作部情報抽出手段が抽出した前記操作部情報に基づいて前記表示部に行う表示制御手段（２０６）とを備えることを特徴とする表示システムを提案している。
【００１１】
この発明によれば、操作部は、当該無線通信端末の操作に用いる。機種情報記憶手段は、当該無線通信端末の機種を特定する機種情報を記憶する。端末側通信手段は、表示装置との間で有線又は無線で接続されて通信する。機種情報送信手段は、端末側通信手段を介して機種情報を表示装置へ送る。操作部情報記憶手段は、複数機種の無線通信端末の操作部に関する情報である操作部情報を機種情報と関連付けて記憶する。表示装置側通信手段は、無線通信端末との間で有線又は無線で接続されて通信する。機種情報受信手段は、表示装置側通信手段を介して無線通信端末から機種情報を受け取る。操作部情報抽出手段は、機種情報受信手段が受け取った機種情報に対応する操作部情報を操作部情報記憶手段から抽出する。表示制御手段は、表示装置側通信手段を介して接続された無線通信端末の操作部に対応した第１の表示を操作部情報抽出手段が抽出した操作部情報に基づいて表示部に行う。したがって、無線通信端末の操作部に対応する表示を無線通信端末の多くの機種について表示装置上で行える。
【００１２】
（２）本発明は、（１）に記載の表示システムにおいて、前記操作部情報抽出手段（２０５）は、前記機種情報受信手段（２０４）が受け取った前記機種情報に対応する前記操作部情報が前記操作部情報記憶手段（２０２）に記憶されていないときには、前記表示装置側通信手段（２０３）を介して接続された前記無線通信端末（１００）に対して前記操作部情報を要求することを特徴とする表示システムを提案している。
【００１３】
この発明によれば、操作部情報抽出手段は、機種情報受信手段が受け取った機種情報に対応する操作部情報が操作部情報記憶手段に記憶されていないときには、表示装置側通信手段を介して接続された無線通信端末に対して操作部情報を要求する。したがって、操作部情報記憶手段に記憶されていない機種であっても、無線通信端末の操作部に対応する表示を表示装置上で行える。
【００１４】
（３）本発明は、（２）に記載の表示システムにおいて、前記操作部情報記憶手段（２０２）は、前記表示装置側通信手段（２０３）を介して接続された前記無線通信端末（１００）に対して前記操作部情報抽出手段（２０５）が要求して取得した前記操作部情報を追加して記憶することを特徴とする表示システムを提案している。
【００１５】
この発明によれば、操作部情報記憶手段は、表示装置側通信手段を介して接続された無線通信端末に対して操作部情報抽出手段が要求して取得した操作部情報を追加して記憶する。したがって、新たな機種の情報が操作部情報記憶手段に蓄積され、さらに多くの機種について操作部に対応する表示を表示装置上で行える。
【００１６】
（４）本発明は、（１）から（３）までのいずれか１項に記載の表示システムにおいて、前記無線通信端末（１００）は、前記第１の表示（２０１ａ）とは異なる表示内容である第２の表示（２０１ｂ）に用いるデータを前記端末側通信手段（１０４）を介して前記表示装置（２００）へ送る第２の表示データ送信手段（１０６）を備え、前記表示制御手段（２０６）は、前記表示装置側通信手段（２０３）を介して取得した前記第２の表示に用いるデータを前記第１の表示とともに前記表示部（２０１）に表示することを特徴とする表示システムを提案している。
【００１７】
この発明によれば、第２の表示データ送信手段は、第１の表示とは異なる表示内容である第２の表示に用いるデータを端末側通信手段を介して表示装置へ送る。表示制御手段は、表示装置側通信手段を介して取得した第２の表示に用いるデータを第１の表示とともに表示部に表示する。したがって、操作部に関する表示と画像等の表示を表示装置上で同時に行える。
【００１８】
（５）本発明は、（４）に記載の表示システムにおいて、前記表示装置（２００）は、前記表示部（２０１）に関する情報である表示部情報を前記表示装置側通信手段（２０３）を介して接続された前記無線通信端末（１００）へ送る表示部情報送信手段（２０７）を備え、前記無線通信端末の前記第２の表示データ送信手段（１０６）は、前記端末側通信手段（１０４）を介して取得した前記表示部情報に応じて、前記第２の表示に用いるデータの選択及び変更及び修正の少なくとも１つを行い、前記表示装置へ送ることを特徴とする表示システムを提案している。
【００１９】
この発明によれば、表示部情報送信手段は、表示部に関する情報である表示部情報を表示装置側通信手段を介して接続された無線通信端末へ送る。無線通信端末の第２の表示データ送信手段は、端末側通信手段を介して取得した表示部情報に応じて、第２の表示に用いるデータの選択及び変更及び修正の少なくとも１つを行い、表示装置へ送る。したがって、表示部での表示に適したデータを無線通信端末から表示装置へ送ることができ、表示品質を高めることができる。
【００２０】
（６）本発明は、表示部（２０１）と、複数機種の無線通信端末（１００）の操作部（１０２）に関する情報である操作部情報を機種情報と関連付けて記憶する操作部情報記憶手段（２０２）と、前記無線通信端末との間で有線又は無線で接続されて通信する表示装置側通信手段（２０３）と、前記表示装置側通信手段を介して前記無線通信端末から前記機種情報を受け取る機種情報受信手段（２０４）と、前記機種情報受信手段が受け取った前記機種情報に対応する前記操作部情報を前記操作部情報記憶手段から抽出する操作部情報抽出手段（２０５）と、前記表示装置側通信手段（２０３）を介して接続された前記無線通信端末の前記操作部に対応した第１の表示（２０１ａ）を前記操作部情報抽出手段が抽出した前記操作部情報に基づいて前記表示部に行う表示制御手段（２０６）とを備えることを特徴とする表示装置を提案している。
【００２１】
この発明によれば、操作部情報記憶手段は、複数機種の無線通信端末の操作部に関する情報である操作部情報を機種情報と関連付けて記憶する。表示装置側通信手段は、無線通信端末との間で有線又は無線で接続されて通信する。機種情報受信手段は、表示装置側通信手段を介して無線通信端末から機種情報を受け取る。操作部情報抽出手段は、機種情報受信手段が受け取った機種情報に対応する操作部情報を操作部情報記憶手段から抽出する。表示制御手段は、表示装置側通信手段を介して接続された無線通信端末の操作部に対応した第１の表示を操作部情報抽出手段が抽出した操作部情報に基づいて表示部に行う。したがって、無線通信端末の操作部に対応する表示を無線通信端末の多くの機種について行える。
【００２２】
（７）本発明は、（６）に記載の表示装置（２００）において、前記操作部情報抽出手段（２０５）は、前記機種情報受信手段（２０４）が受け取った前記機種情報に対応する前記操作部情報が前記操作部情報記憶手段（２０２）に記憶されていないときには、前記表示装置側通信手段（２０３）を介して接続された前記無線通信端末（１００）に対して前記操作部情報を要求することを特徴とする表示装置を提案している。
【００２３】
この発明によれば、操作部情報抽出手段は、前記機種情報受信手段が受け取った機種情報に対応する操作部情報が操作部情報記憶手段に記憶されていないときには、表示装置側通信手段を介して接続された無線通信端末に対して操作部情報を要求する。したがって、操作部情報記憶手段に記憶されていない機種であっても、無線通信端末の操作部に対応する表示を行える。
【００２４】
（８）本発明は、（７）に記載の表示装置（２００）において、前記操作部情報記憶手段（２０２）は、前記表示装置側通信手段（２０３）を介して接続された前記無線通信端末（１００）に対して前記操作部情報抽出手段（２０５）が要求して取得した前記操作部情報を追加して記憶することを特徴とする表示装置を提案している。
【００２５】
この発明によれば、操作部情報記憶手段は、表示装置側通信手段を介して接続された無線通信端末に対して操作部情報抽出手段が要求して取得した操作部情報を追加して記憶する。したがって、新たな機種の情報が操作部情報記憶手段に蓄積され、さらに多くの機種について操作部に対応する表示を行える。
【００２６】
（９）本発明は、（６）から（８）までのいずれか１項に記載の表示装置（２００）において、前記表示制御手段（２０６）は、前記第１の表示（２０１ａ）とは異なる表示内容である第２の表示（２０１ｂ）に用いるデータを前記表示装置側通信手段（２０３）を介して取得して前記第１の表示とともに前記表示部（２０１）に表示することを特徴とする表示装置を提案している。
【００２７】
この発明によれば、表示制御手段は、第１の表示とは異なる表示内容である第２の表示に用いるデータを表示装置側通信手段を介して取得して第１の表示とともに表示部に表示する。したがって、操作部に関する表示と画像等の表示を同時に行える。
【００２８】
（１０）本発明は、無線通信端末（１００）と表示装置（２００）との間で通信を行い前記表示装置が有する表示部（２０１）に前記無線通信端末から得た情報を表示する表示方法であって、前記表示装置は、複数機種の前記無線通信端末の操作部に関する情報である操作部情報を前記無線通信端末の機種情報と関連付けて記憶する操作部情報記憶手段（２０２）と、前記無線通信端末との間で有線又は無線で接続されて通信する表示装置側通信手段（２０３）とを備え、前記表示装置側通信手段を介して前記無線通信端末から前記機種情報を受け取る機種情報受信ステップ（Ｓ１０）と、前記機種情報受信ステップで受け取った前記機種情報に対応する前記操作部情報を前記操作部情報記憶手段から抽出する操作部情報抽出ステップ（Ｓ８０）と、前記表示装置側通信手段を介して接続された前記無線通信端末の前記操作部に対応した第１の表示（２０１ａ）を前記操作部情報抽出ステップで抽出した前記操作部情報に基づいて前記表示部に行う表示制御ステップ（Ｓ９０）とを実行することを特徴とする表示方法を提案している。
【００２９】
この発明によれば、操作部情報記憶手段は、複数機種の無線通信端末の操作部に関する情報である操作部情報を無線通信端末の機種情報と関連付けて記憶する。表示装置側通信手段は、無線通信端末との間で有線又は無線で接続されて通信する。機種情報受信ステップでは、表示装置側通信手段を介して無線通信端末から機種情報を受け取る。操作部情報抽出ステップでは、機種情報受信ステップで受け取った機種情報に対応する操作部情報を操作部情報記憶手段から抽出する。表示制御ステップでは、表示装置側通信手段を介して接続された無線通信端末の操作部に対応した第１の表示を操作部情報抽出ステップで抽出した操作部情報に基づいて表示部に行う。したがって、無線通信端末の操作部に対応する表示を無線通信端末の多くの機種について行える。
【００３０】
（１１）本発明は、表示部（２０１）と、複数機種の無線通信端末（１００）の操作部（１０２）に関する情報である操作部情報を前記無線通信端末の機種情報と関連付けて記憶する操作部情報記憶手段（２００）と、前記無線通信端末との間で有線又は無線で接続されて通信する表示装置側通信手段（２０３）とを備えた表示装置（２００）において無線通信端末との間で通信を行い前記表示部に前記無線通信端末から得た情報を表示する表示プログラムであって、コンピュータに、前記表示装置側通信手段を介して前記無線通信端末から前記機種情報を受け取る機種情報受信ステップ（Ｓ１０）と、前記機種情報受信ステップで受け取った前記機種情報に対応する前記操作部情報を前記操作部情報記憶手段から抽出する操作部情報抽出ステップ（Ｓ８０）と、前記表示装置側通信手段を介して接続された前記無線通信端末の前記操作部に対応した第１の表示（２０１ａ）を前記操作部情報抽出ステップで抽出した前記操作部情報に基づいて前記表示部に行う表示制御ステップ（Ｓ９０）とを実行させることを特徴とする表示プログラムを提案している。
【００３１】
この発明によれば、操作部情報記憶手段は、表示部と、複数機種の無線通信端末の操作部に関する情報である操作部情報を無線通信端末の機種情報と関連付けて記憶する。表示装置側通信手段は、無線通信端末との間で有線又は無線で接続されて通信する。機種情報受信ステップでは、表示装置側通信手段を介して無線通信端末から機種情報を受け取る。操作部情報抽出ステップでは、機種情報受信ステップで受け取った機種情報に対応する操作部情報を操作部情報記憶手段から抽出する。表示制御ステップでは、表示装置側通信手段を介して接続された無線通信端末の操作部に対応した第１の表示を操作部情報抽出ステップで抽出した操作部情報に基づいて表示部に行う。したがって、無線通信端末の操作部に対応する表示を無線通信端末の多くの機種について行える。
【発明の効果】
【００３２】
本発明によれば、表示装置は、無線通信端末の操作部に対応する表示を無線通信端末の多くの機種について行える。よって、操作部に対応する大きな表示を利用して良好な操作性を実現できる。また、第２の表示を同時に行うことにより、大きな画面で画像等を鑑賞しながらその操作を簡単に行える。
【図面の簡単な説明】
【００３３】
【図１】本発明による表示システムの実施形態を示す図である。
【図２】本実施形態の表示システムの構成を示すブロック図である。
【図３】本実施形態の表示システムの動作を示すフローチャートである。
【発明を実施するための形態】
【００３４】
以下、図面を用いて、本発明の実施形態について詳細に説明する。
なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００３５】
（実施形態）
図１は、本発明による表示システムの実施形態を示す図である。なお、表示２０１ａと第２の表示２０１ｂとは左右が逆であっても良い。
図２は、本実施形態の表示システムの構成を示すブロック図である。
本実施形態の表示システムは、無線通信端末１００と表示装置２００とを備えており、無線通信端末１００が有する画像データ等を表示装置に表示する。
無線通信端末１００は、端末表示部１０１と、操作部１０２と、機種情報記憶部１０３と、端末側通信部１０４と、機種情報送信部１０５と、画像データ送信部１０６とを備えた携帯電話端末である。
【００３６】
端末表示部１０１は、ＬＣＤ（Liquid Crystal Display）や有機ＥＬ（Electro-Luminescence）ディスプレイ等により形成された画面サイズ３インチ程度の比較的小型の表示パネルである。端末表示部１０１は、無線通信端末１００の各種情報表示や、無線通信端末１００により撮影したりダウンロードしたりした静止画や動画の表示を行う。
【００３７】
操作部１０２は、電話番号やテキスト入力に使用される入力操作キーと、カーソル移動や画面スクロール等を行う方向操作キー、その他の操作キーを備えており、無線通信端末１００の操作に用いる。
【００３８】
機種情報記憶部１０３は、無線通信端末１００の機種を特定する機種情報を記憶する。機種情報は、機種名をそのまま表す文字列であってもよいし、コード化したものであってもよい。
【００３９】
端末側通信部１０４は、表示装置２００との間で有線又は無線で接続されて通信を行う。例えば、端末側通信部１０４は、表示装置２００との間でＵＳＢ（Universal Serial Bus）規格、ＩＥＥＥ１３９４規格、ＨＤＭＩ（High-Definition Multimedia Interface）規格等を利用した有線接続を行う。又は、端末側通信部１０４は、表示装置２００との間でＢｌｕｅｔｏｏｔｈ（登録商標）規格、無線ＬＡＮ（ＩＥＥＥ８０２．１１等）規格、ＩｒＤＡ（Infrared Data Association）規格等を利用した無線接続を行う。また、端末側通信部１０４は、不図示の基地局との間で携帯電話サービスの電波を用いて携帯電話通信サービスの通信も行う。
【００４０】
機種情報送信部１０５は、端末側通信部１０４を介して機種情報を表示装置２００へ送る。
画像データ送信部１０６は、静止画像や動画像等の表示に用いる各種画像データ（第２の表示データ）を端末側通信部１０４を介して表示装置２００へ送る第２の表示データ送信部である。また、画像データ送信部１０６は、端末側通信部１０４を介して表示装置２００から後述する表示部情報を取得した場合には、その表示部情報に応じて、静止画像や動画像等の表示に用いる各種画像データを選択したり、変更したり、修正したりする。そして、それら変更等をして表示装置による表示に最適化した各種画像データを表示装置２００へ送る。
【００４１】
表示装置２００は、表示部２０１と、操作部情報記憶部２０２と、表示装置側通信部２０３と、機種情報受信部２０４と、操作部情報抽出部２０５と、表示制御部２０６と、表示部情報送信部２０７とを備えている。
【００４２】
表示部２０１は、ＬＣＤや有機ＥＬディスプレイ等により形成されており、端末表示部１０１より大型の表示パネルである。表示部２０１の画面サイズは、例えば、１０インチであってもよいし、２０インチ以上の表示パネルであってもよい。表示部２０１は、無線通信端末１００から送られた情報に基づいて第１の表示２０１ａと第２の表示２０１ｂとを行う。ここで、第１の表示２０１ａとは、無線通信端末１００の操作部１０２の形状と配列とを模した表示である。また、第２の表示２０１ｂとは、静止画像や動画像等、無線通信端末１００の端末表示部１０１に表示されるものと同一の表示内容である。なお、表示部２０１は、表示制御部２０６による制御にしたがい表示を行う。
また、表示部２０１は、タッチパネルの機能を備えており、第１の表示２０１ａにより模擬的に表示された操作キー表示部分を利用者が指で触ることにより、その操作内容が表示装置側通信部２０３を介して無線通信端末１００に伝わり、無線通信端末１００の操作を行うことができる。
【００４３】
操作部情報記憶部２０２は、複数機種の無線通信端末１００の操作部１０２に関する情報である操作部情報と無線通信端末１００の端末表示部１０１の解像度に関する情報である解像度情報とを、機種情報と関連付けて記憶する。ここで、操作部情報とは、操作部１０２の配列、形状といった外観上の特徴と、いずれのキーにどのような機能が割り振られているかという情報である。操作部情報記憶部２０２には、予め多数の機種についての操作部情報及び解像度情報が機種情報と関連付けて記憶されている。しかし、例えば、表示装置２００の製造後に開発されたり発売されたりした無線通信端末の操作部情報及び解像度情報は、操作部情報記憶部２０２に記憶していない。そこで、操作部情報記憶部２０２に取得した機種情報に対応する操作部情報及び解像度情報が記憶されていないときには、後述するように操作部情報抽出部２０５が無線通信端末１００（この場合例えば新機種が該当する）に対して操作部情報及び解像度情報を要求する。その要求により取得した操作部情報及び解像度情報は、新たに操作部情報記憶部２０２に追加されて記憶される。
【００４４】
表示装置側通信部２０３は、無線通信端末１００の端末側通信部１０４との間で有線又は無線で接続されて通信する。通信方法については、端末側通信部１０４の通信方法と同じである。
機種情報受信部２０４は、表示装置側通信部２０３を介して無線通信端末１００から機種情報を受け取る。
【００４５】
操作部情報抽出部２０５は、機種情報受信部２０４が受け取った機種情報に対応する操作部情報及び解像度情報を操作部情報記憶部２０２から抽出する。また、操作部情報抽出部２０５は、機種情報受信部２０４が受け取った機種情報に対応する操作部情報及び解像度情報が操作部情報記憶部２０２に記憶されていないときには、表示装置側通信部２０３を介して接続された無線通信端末１００に対して操作部情報を要求する。
【００４６】
表示制御部２０６は、表示装置側通信部２０３を介して接続された無線通信端末１００の操作部１０２に対応した第１の表示を、操作部情報抽出部２０５が抽出した操作部情報に基づいて表示部２０１に行う。また、表示制御部２０６は、表示装置側通信部２０３を介して接続された無線通信端末１００の解像度情報に基づいて、第２の表示（画像データの表示）を拡大表示するために適した表示解像度で表示部２０１に表示する。
【００４７】
表示部情報送信部２０７は、表示部２０１に関する情報である表示部情報を表示装置側通信部２０３を介して接続された無線通信端末１００へ送る。ここで、表示部情報とは、表示部２０１の画面サイズや解像度についての情報である。先に述べたように、画像データ送信部１０６は、この表示部情報に応じて、静止画像や動画像等の表示に用いる各種画像データを選択したり、変更したり、修正したりする。これによって、画像データ送信部１０６は、各種画像データを表示部２０１に表示するために適したデータとすることができる。
【００４８】
図３は、本実施形態の表示システムの動作を示すフローチャートである。
ステップ（以下、Ｓとする）１０では、無線通信端末１００は、表示装置２００へ無線通信端末の機種情報を送信し、表示装置２００の機種情報受信部２０４は、その機種情報を受信する（機種情報受信ステップ）。
Ｓ２０では、表示装置２００は、表示部情報を無線通信端末１００へ送信し、無線通信端末１００は、その表示部情報を受信する（表示部情報送受信ステップ）。
【００４９】
Ｓ３０では、無線通信端末１００の画像データ送信部１０６は、表示部情報に応じて、静止画像や動画像等の表示に用いる各種画像データを選択する（第２の表示用データ最適化ステップ）。なお、図３では、画像データを選択とのみ記載しているが、画像データを変更したり、修正したりしてもよい。
【００５０】
Ｓ４０では、無線通信端末１００は、変更等をした各種画像データを表示装置２００へ送信し、表示装置２００は、その各種画像データを受信する（第２の表示用データ送受信ステップ）。
【００５１】
Ｓ５０では、Ｓ１０で受信した機種情報に対応する操作部情報及び解像度情報が、操作部情報記憶部２０２に記憶されているか否かを判断する（機種情報検索ステップ）。受信した機種情報に対応する操作部情報及び解像度情報が、操作部情報記憶部２０２に記憶されている場合には、Ｓ８０へ進む。受信した機種情報に対応する操作部情報及び解像度情報が、操作部情報記憶部２０２に記憶されていない場合には、Ｓ６０へ進む。
【００５２】
Ｓ６０では、操作部情報抽出部２０５が無線通信端末１００に対して操作部情報及び解像度情報を要求する（操作部情報要求ステップ）。
Ｓ７０では、無線通信端末１００は、操作部情報及び解像度情報を表示装置２００へ送信し、表示装置２００は、その操作部情報及び解像度情報を受信してＳ９０へ進む（操作部情報送受信ステップ）。
【００５３】
Ｓ８０では、表示装置２００の操作部情報抽出部２０５は、機種情報に対応する操作部情報を操作部情報記憶部２０２から抽出する（操作部情報抽出ステップ）。
Ｓ９０では、表示装置２００の表示制御部２０６は、操作部情報に基づいて操作部に対応する操作部を模した表示（第１の表示）を行う。また、解像度情報に基づいて表示部２０１拡大表示するために適した表示解像度で、画像データ（第２の表示）を表示部２０１に表示する（表示制御ステップ）。
【００５４】
以上説明したように、本実施形態によれば、無線通信端末１００の操作部１０２に対応する表示を多くの無線通信端末の機種について行うことができる。また、新たに発売された無線通信端末１００であっても無線通信端末１００の操作部１０２に対応する表示を行うことができる。さらに、表示部情報を表示装置２００から無線通信端末１００へ送るので、無線通信端末１００から表示装置２００へ送って表示する画像等のデータを表示部２０１での表示に適したデータとすることができる。
【００５５】
なお、無線通信端末や表示装置の処理をコンピュータ読み取り可能な記録媒体に記録し、この記録媒体に記録されたプログラムを無線通信端末や表示装置に読み込ませ、実行することによって本発明の無線通信端末や表示装置、表示方法を実現することができる。ここでいうコンピュータシステムとは、ＯＳや周辺装置等のハードウェアを含む。
【００５６】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００５７】
また、上記プログラムは、前述した機能の一部を実現するためのものであってもよい。さらに、前述した機能をコンピュータシステムにすでに記録されているプログラムとの組み合せで実現できるもの、いわゆる差分ファイル（差分プログラム）であってもよい。
【００５８】
以上、この発明の実施形態につき、図面を参照して詳述してきたが、具体的な構成はこの実施形態に限られるものではなく、この発明の要旨を逸脱しない範囲の設計等も含まれる。
【００５９】
（変形形態）
（１）本実施形態において、操作部情報記憶部２０２は、操作部情報と解像度情報との両方を記憶する例を挙げて説明した。これに限らず、例えば、操作部情報記憶部は、解像度情報を記憶しなくともよい。
【００６０】
（２）本実施形態において、表示部情報を表示装置２００から無線通信端末１００へ送る例を示した。これに限らず、例えば、表示部情報を表示装置２００から無線通信端末１００へ送らなくともよい。
【００６１】
（３）本実施形態において、表示装置２００は、第２の表示として静止画像や動画像のデータを表示する例を挙げて説明した。これに限らず、例えば、表示装置２００は、第２の表示としてメール画面を表示してもよいし、ゲーム画面を表示してもよいし、その他、表示装置２００の端末表示部１０１に表示されるデータであればどのようなデータであってもよい。
【００６２】
なお、実施形態及び変形形態は、適宜組み合わせて用いることもできるが、詳細な説明は省略する。
【符号の説明】
【００６３】
１００  無線通信端末
１０１  端末表示部
１０２  操作部
１０３  機種情報記憶部
１０４  端末側通信部
１０５  機種情報送信部
１０６  画像データ送信部
２００  表示装置
２０１  表示部
２０２  操作部情報記憶部
２０３  表示装置側通信部
２０４  機種情報受信部
２０５  操作部情報抽出部
２０６  表示制御部
２０７  表示部情報送信部
【図１】
2010232759.tif 000003
【図２】
2010232759.tif 000004
【図３】
2010232759.tif 000005